(57)【要約】      （修正有）【課題】イベントに関連してギフト贈呈とメッセージカードおよび写真をアルバムのような形式に整えて贈呈したいという要望を実現するために、カードの様式、文言の構成、文字等を巧みに融合すれば、理想的なアルバム式商品カタログの編集システムおよびこの編集システムを使用したアルバム式商品カタログの実現が可能となる。【解決手段】所定の商品カタログカードやメッセージ、写真等を着脱可能に装備したアルバム式商品カタログの編集システムおよびそのシステムを使用して作成することができる商品カタログに関するもので、カタログ作成者側が用意しているホームページ等の所定のシステムに対して、依頼者側が関連イベントにおいて撮影した写真等をインターネットを介して選択して送信することによって、依頼者である贈り主にも、その商品カタログ受領者にも、ともに満足してもらえるアルバム式商品カタログを迅速に編集し、作成することができる。【選択図】図４
2010152769.tif 000002
【特許請求の範囲】
【請求項１】
誕生、結婚等の各種イベントに関連した贈答品選択用の商品カタログカードと、そのイベントに関するメッセージカードと、そのイベントに関して撮影された写真カードとを着脱可能にアルバム状に装備したアルバム式商品カタログの編集システムであって、商品カタログ作成者側が開設しているホームページにおいて、前記作成者側の商品を依頼者が選択する選択肢と、作成者側のメッセージを依頼者が選択する選択肢と、依頼者側が撮影した写真を入力して選択できる選択肢とを設けて、前記作成者は、これらの選択肢から依頼者が選択したものをインターネット経由で受領して、その選択に基づいて前記メッセージカードおよび写真カードを作成するとともに商品カタログとして依頼者側に提供できるようにしたことを特徴とするアルバム式商品カタログの編集システム。
【請求項２】
前記作成者側のホームページは、前記依頼者側が選択可能な複数種のメッセージを掲示したメッセージカードの選択肢を有することを特徴とするアルバム式商品カタログの編集システム。
【請求項３】
前記作成者側のホームページは、前記依頼者側がそのイベントに関して撮影した写真を選択的に配置可能としたことを特徴とするアルバム式商品カタログの編集システム。
【請求項４】
誕生、結婚等の各種イベントに関連した贈答品選択用の商品カタログカードを用意する商品カタログ作成者側が開設したホームページにおいて、依頼者が選択した商品カタログカードに基づいて商品カタログカードを作成するステップと、前記イベントに関して依頼者側が撮影し、選択した写真情報を受領して写真カードを作成するステップと、さらに前記ホームページを経由して依頼者が選択したメッセージに基づいてメッセージカード作成するステップとを有し、これらのステップを経て得られた、前記商品カタログカードと写真カードとメッセージカードとを着脱可能に配置して、依頼者の希望に添った内容のアルバム状に形成して依頼者側に提供するようにしたことを特徴とするアルバム式商品カタログの作成システム。
【請求項５】
商品カタログ作成者側が開設したホームページにおいて誕生、結婚等の各種イベントに関連した贈答品選択用の商品カタログカードを用意するとともに、前記ホームページにおいてそのイベントに関して依頼者側が撮影し、選択した写真情報を受領し、さらに前記ホームページを経由して依頼者が選択可能なメッセージを提供して、これによって依頼者が選択した内容に基づいて作成した、前記商品カタログカードと写真カードとメッセージカードとを着脱可能に配置してアルバム状に形成して、依頼者側に提供できるようにしたことを特徴とするアルバム式商品カタログ。
【発明の詳細な説明】
【技術分野】
【０００１】
この発明は、アルバム式商品カタログの編集システム、およびその編集システムよって作成したアルバム式商品カタログに関するもので、カタログ作成者側が用意しているホームページ等の所定のシステムにおいて、依頼者側がその関連イベントにおいて撮影した写真や、作成者が例示したメッセージ等を選択し、インターネットを介して送信することによって、依頼者である贈り主にも、その商品カタログ受領者にも、ともに満足してもらえるアルバム式商品カタログを、容易に、かつ迅速に編集し、作成することができるものである。
【背景技術】
【０００２】
個人の生活、または企業等の組織活動における各種イベント、すなわち、結婚式、結婚記念、銀婚式、誕生記念、誕生日祝い等の個人イベント、または創立何周年記念、創業記念、退職記念等の企業イベント等に関連して、種々の記念品、お礼の贈り物、引出物等が多用されている。
【０００３】
結婚式を例にとると、その帰りに参列者に対する引出物を式会場で手渡すことも行われるが、そのための贈り主側の手配準備、およびその引出物に関する受領者側の好みの多様化による不都合や持ち帰りのわずらわしさ等を考慮して、従来は、アルバム式の商品カタログにメッセージカード等を添えて贈呈することが本願発明者によって開発された。
【０００４】
すなわち、受領者は、その商品カタログから好みの商品を自由に選択して申込むことができるようにするとともに、その使命を終えた商品カタログカードを廃棄した後は、記念の、または通常のアルバムとして使用できるようにしたものが、市場に提供されて好評を博している（特許文献１および２参照）。このような状況は、前記各イベントに共通して普及してきているものである。
【０００５】
また、アルバムとして、作成依頼者が撮影した写真と、いわゆるプロが撮影した写真と
を融合して、内容を充実したもの（特許文献３）は公知であるが、単にアルバムの作成技術に関するもので、商品の選択や、メッセージの選択手続とを有機的に結合したアルバム式商品カタログとは一切関係がないものである。
【特許文献１】特開２００５−１９９６８６
【特許文献２】登録実用新案第３１３０３３５号
【特許文献３】特開２００８−３５３９８号
【発明の開示】
【発明が解決しようとする課題】
【０００６】
さらにこのアルバム式商品カタログの機能を活用して、これをイベント終了後に、そのイベントにおける集合写真やスナップ等の写真を贈り主側が用意して、所定の贈り先に送付することにより、一層好適な記念アルバムを構成する商品カタログを用意することができ、贈り主にも受領者にも充分満足できる商品カタログが作成できることが発想される。
【０００７】
しかしながら、贈り主側は、イベント後の多忙な状態で、さらにはアルバム構成技術に不慣れであること等から、そのための準備が非常に煩わしかったり、それ故に送付が遅延するという不具合が想定される。
【０００８】
また、出産における内祝いの場合には、見せたい・見てもらいたいとの出産の事実の伝達とともに、その想いをメッセージとして伝えるために贈り主から相手方へメッセージカードやアルバムという形で、贈りたいという要望は強く、さらには、その相手からの祝意に対して、感謝のお返しとしてその相手方の嗜好にあったギフトを贈りたいという要望も強いものがある。
【０００９】
しかしながら、それを具体的にカードやアルバムのような形式に整えて発送するという段取りを考えると、カードの様式、文言の構成、文字校正等が相当に手間を要し、また撮影した写真の選択も単純でなく、パソコン間のデータの受け渡しがあって、それらのリスクも考慮せざるを得ないから、おっくうになりがちである。さらに贈り物の選定を含めるとなると一層悩ましいものがあり、さらに時間を要する結果を招くものである。
【課題を解決するための手段】
【００１０】
この発明は、そのような問題を解決するためになされたもので、贈り主側は、商品カタログ作成者側が用意したインターネット上のホームページを経由して、その商品カタログから相手方にふさわしいと思われる商品の選択肢を選択することにより商品カタログカードを選択することに加えて、そのアルバムに掲載を希望する自らが撮影した写真の選択肢を選択して送信するとともに、さらに希望すれば好みのメッセージ部分やアルバム部分のデザイン等についてもその選択肢を選択して送信するだけで、商品カタログ作成者側が、その意図を汲んでそれらを編集することができ、その内容に基づいてアルバム式商品カタログを作成して、受領者側に送付することができるようにしたものである。
【００１１】
さらに別の観点から、この発明は、依頼者側としては、一般に、その撮影結果である写真の選択およびその選択された写真のレイアウトや、メッセージの選択、配置等を実際にどのようにしたらよいか迷ってしまうものであり、一方、作成者側は、その分野における熟練者としてそのような適正なレイアウト等の実現には熟達しており、依頼を受ければ容易にその要請を実現できるという需給の関係に注目してなされたものであって、双方にとって好ましいアルバム式商品カタログの編集が実現でき、そのカタログの作成が効率的にできるようにしたものである。
【００１２】
しかも、インターネットの多彩な機能を巧みに活用することによって、利用者の要望に比較的容易に応えることができるものである。
【００１３】
したがって、依頼者側が、インターネット画面を通じて、製作者側の準備した作成レイアウトおよびそのガイドにしたがって、その選択肢を選択して入力した、希望する写真に基づいて、その依頼を受けた制作者側が、プロレベルで編集、作成した出来映えのメッセージカード、および写真カードを作成することができる。そして、作成者側は、依頼者の希望に添ったアルバム式の商品カタログの作成から、一連の発送、受領者からの希望商品を伴う商品の申込み受付け、当該商品の発送までを実行することができるので、引出物の注文と一体に、安定して依頼を受けることができるものである。
【００１４】
そして、アルバム作成者側の作成ノウハウと、依頼者側の希望するメッセージ、および依頼者側撮影になる選択可能な写真を有するアルバム部の作成希望とを巧みに融合して、依頼者側の希望を受け入れて、満足できる完成度のアルバム式商品カタログの編集システム、またはその編集システムによって作成したアルバム式商品カタログを容易に依頼者側に提供できる効果を有するものである。
【発明を実施するための最良の形態】
【００１５】
以下に、この発明の一実施例について説明する。
【００１６】
まず、アルバム式商品カタログＣは、図５に示されるように、前述したような、１点ずつの商品が商品説明とともに掲載された商品カタログカード（図示せず）と、そのイベントに関するメッセージカード（ａ）（ｂ）と、そのイベントに関して依頼者側が撮影した写真のカード（図示せず）とを着脱可能にアルバム状に装備して、構成される。  
すなわち、アルバム式商品カタログＣは、通常のものと同様に、複数枚の台紙Ｐが、表紙Ｑおよび裏表紙Ｒ間に透明フィルムによって形成された、例えばその上縁が開放された袋状の保持葉Ｌのそれぞれに挿脱可能に収容されて積層され、アルバム状に構成される。この台紙Ｐには、描画して図示はしていないが、その各面の上下位置に２面の透明フィルムからなるポケットＴ、Ｔが形成されて、このポケットＴ、Ｔに前記メッセージカード（ａ）（ｂ）や最終的に選択された写真のカードが差込まれて、着脱可能に収容されるようになっている。そして、図示の実施例においては、その第１ページに収容されたメッセージカードは、それぞれ、その上ポケットＴに、「わたくし達、結婚しました  〇〇年〇月〇日  贈り主２人の氏名」のようなメッセージカード（ａ）が、下ポケットＴには、「あたたかいお祝いをありがとうございました」のようなメッセージ等が記入されたメッセージカード（ｂ）が挿入されている。
【００１７】
このアルバム式の商品カタログは、その状態は図示していないが、その構成から明らかなように、アルバム部分を見開いた状態で左右ページが一面として現われて、各ページには上下２面のポケットＴ、Ｔが位置する計４面のカード収容面が配置されるようになっている。したがって、そのカタログ全体の前半部分にはメッセージカードが、その中間部分には写真カードが、また後半部分には商品カタログカードが配置され、さらには図示していないが、受領者が商品カタログカードから選択した商品を申込むための申込みはがきが併せて透明ポケット内に着脱可能に装備されている。
【００１８】
次に、作成者側が用意するアルバム式商品カタログの編集システムについて説明する。アルバム作成者、すなわち、商品カタログを介して指定された商品を発送する一連の業務を業としている者が、インターネット上にホームページを開設して、その商品の贈り主である依頼者がアクセスすることができる画面を設置する。
【００１９】
この発明のアルバム式商品カタログの編集システムは、インターネットを使用して実行されるものであり、そのシステム概要は、図１に示されるように構成される。
【００２０】
すなわち、このアルバム式商品カタログの作成者のパソコンＨによるホームページＨＰが、サーバ経由、インターネットＮを介して依頼者端末ＰＣから接続されるように編集システムが構成されている。このシステム構成において、作成者のホームページＨＰには、後述するように、アルバム式商品カタログの編集に関連して、所定の項目に関する依頼者の好みに対応する各選択肢が設けられており、依頼者が自らの端末ＰＣからインターネットＮを介して、そのホームページＨＰにアクセスできるようになっている。その後は、依頼者は、そのホームページＨＰ上の所定の選択項目について選択し、さらに自らの撮影した写真等について必要な入力をしながら、希望するデザインや内容を選択肢によって選択して、希望に適ったアルバム式商品カタログの作成を依頼できるようになっている。そして作成者は、その依頼者の選択肢による選択に基づいて、前記メッセージカードおよび写真カードを編集し、プリンタＰＲに出力して各カードを作成することができる。
【００２１】
より具体的には、例えば、出産内祝い用および結婚式引出物用の商品カタログを用意する業者側の編集システムにおいて、つぎのような手順のシステム構成を設定しておく。
【００２２】
すなわち、図２に開示されるとおり、アルバム式商品カタログの作成者のホームページには、一種のオンラインショッピングシステムのそれに近似したスタート画面Ｓが設置され、先ず、依頼者が贈り先に最適であると考える商品のいくつかを選定して、この画面から商品カタログ、すなわち商品カタログカードを選択していくものである。すなわち、そのツールバーの「用途」または「イベント」別の選択ができる項目の選択肢が開示されている。すなわち、用途としては、一例として、引き出物、出産祝い、工房（アルバム作成）等の選択項目Ｓ１がイメージ画面（イメージは図示せず）とともに表示されるとともに、イベントとしては、結婚内祝、出産内祝、入園入学、卒業卒園、七五三、一般ギフト用、父の日、母の日、敬老の日等の選択項目Ｓ２が整列して表示してある。さらには、その下方に位置して、選択される商品のラインナップ別、またはテーマ別、分野別、コンセプト別等の選択項目Ｓ３が、整列して表示してあり、これらの選択肢項目を、ネットワーク経由で接続した、操作者、すなわち依頼者が自らのＰＣ端末から選択することによって、希望する商品のグルーピングを選択できるようになっている。なお、出産祝い用には、多様な需要があることから、格別に、好みの異なる専用のアルバム選択項目Ｓ４が、例えば、おまけのシール付（ハローエンジェル）、フォトスタンド形（タイニーエンジェル）、スエード調（ディアエンジェル）、デニム調（コットンエンジェル）等の選択肢として独立して表示されている。
【００２３】
したがって、依頼者は、その選択した商品群の中から、贈り先に最適であると考える商品のいくつかを選択肢から選定して、オンラインショッピングの要領で、商品すなわち商品カタログ、すなわち商品カタログカードを選択していくものである。もちろん商品の選択に関連する購入金額およびその他の発生費用についても、通常のオンラインショッピングの場合と同様に、清算手続きをすることができるものであり、そのための詳細な説明は省略する。
【００２４】
つぎに、「用途」または「イベント」別の選択ができる選択項目Ｓ１のうち、「工房」ボタン、すなわち、アルバム作成ボタンをクリックし、さらにラインナップ別の選択肢Ｓ３からノーブルを選択することによって、図３に示すとおりの、メッセージカードの選択画面１に切替え表示されるようになっている。この選択画面１は、選択肢項目、「ノーブルコレクション」に関するデザインの選択、すなわちテンプレート選択画面で構成されている。この実施例においては、結婚内祝用が開示されており、引出物等の商品の選択と関連して、依頼者の希望するイメージのデザインや内容のアルバム部分が作成できるようにされている。
【００２５】
すなわち、この選択画面１の左上には拡大されたテンプレート２の画面が表示されるとともに、右上には、後述するように選択されたデザイン候補欄３が配置され、この候補欄３には、例えばテンプレート２の６画面分が、整列して表示されるようになっている。このテンプレート２は、前述したようなアルバム部分を見開いた状態の左右ページを示すものであって、それぞれ上下２面のポケット位置の計４面を示す、メッセージカード、または、写真の位置や内容を選択した写真カードが例示されているものである。さらに、選択画面１の下半分には、例えば４列×４行のデザイン候補テンプレートグループ４が括られて、配列して表示されるようになっている。この候補テンプレートグループ４の上方には、テーマ別のグループ選択キー５が配列されている。
【００２６】
このグループ選択キー５は、例えば、図示するとおり、テーマ「キュート」部５−１、「ポップ」部５−２、「シック」部５−３、「和」部５−４のようなイメージ分類で表示されており、例えば、依頼者が「キュート」部５−１を選択してクリックすると、現在図３に表示されているとおりの、テーマ「キュート」部５−１に属する候補テンプレートグループ４の１６面全体が表示され、この中から好みの１枚をクリックして選択すると、その候補が拡大してテンプレート２に表示されるように構成されている。
【００２７】
この拡大テンプレート２の下方には、「候補に入れる」ボタン６が配置されており、選択したテンプレート２が候補としてふさわしいときはボタン６をクリックすると、その候補が、候補欄３の１つとして表示される。同様に、グループ選択部５の他の好みのテーマ部を選択することによって、それに属する他のグループの１６面から好みの候補を選択していくと、最大６画面分が候補欄３に表示されるようになっている。
【００２８】
前記候補欄３の下方には、「カードを作る」または「デザインシート」ボタン７が配置されており、これをクリックすることによって、図４に開示するようにカードテンプレート２が拡大して切換え表示されるように構成されている。この拡大テンプレート２の一側には、図３のデザイン候補欄３と同一のデザイン候補が縦１列に配置され、ツールバーの「１．カードデザインを選ぶ」ボタン９をクリックすることによって、候補欄３の中から好みのデザインが選択されて拡大表示できるように構成されている。なお、システム構成によっては、デザイン候補３の好みのテンプレートをマウスによってドラッグアンドドロップすることによって選択して拡大表示するようにすることも可能である。さらに拡大テンプレート２を挟んで候補３の他側には、後述するように、メッセージカードまたは写真カードに取込むために依頼者がアップロードし、選択した写真の候補１１が縦１列に配置して表示されている。この写真の候補１１の上方には、「写真を取込む」ボタン１２が配置され、また、下方には選択した写真の位置または大きさをそれぞれ変更するボタン１３または１４が図示されているように配置されている。
【００２９】
依頼者が選択した写真１１の候補は、つぎのように依頼者の端末から入力される。
【００３０】
すなわち、依頼者は前述したように、自らの端末、すなわちパソコンＰＣを作成者のホームページＨＰに接続した状態で、依頼者側がそのイベントに関連して撮影した写真を中心として、そのパソコンＰＣに取込み、これから作成依頼するアルバム式商品カタログに採用する写真の候補を選択してアップロードすると、その候補写真が、前述した写真候補１１として縦１列に表示されるように構成されている。したがって、依頼者は、前述したとおり、選択したテンプレート２の好みの位置に好みの写真を、好みの大きさで取込むことができる。
【００３１】
詳述すれば、前記写真を取込むボタン１２をクリック後、前記写真のうち特定のものをマウスによってドラッグアンドドロップして拡大テンプレートのいずれかの写真添付領域Ａに移動することによって、希望する写真を貼り付けることができる。この写真添付領域Ａは、カード全域にわたってもよいが、小円のように部分的に小形の領域としてデザインされることも可能である。そして、添付された写真の位置および大きさの変更は、前記ボタン１３、および、１４によってそれぞれ、使用者の好みにあわせて選択肢によってその位置および大きさを調整することができるようになっている。
【００３２】
また、デザインシート選択によって既にメッセージが取込まれている場合の他に、さらに独立してメッセージを取込む場合には、ツールバーの、「３．メッセージを入力」項目ボタン１５を表示しておき、さらに、選択したテンプレート２の下方には、メッセージ入力支援用の表示欄１６が配置されている。この表示欄１６には、メッセージ用の文字の種類、参考文表示の選択がそれぞれできるようにそれぞれ選択ボタン１７、１８が配置されている。
【００３３】
したがって、使用者が「３．メッセージを入力」項目ボタン１５を選択すると、メッセージ入力支援用の表示１５が活性化され、文字の種類（フォント、色、サイズ等）、複数種の参考文案表示をそれぞれ好みにしたがって選択ボタン１７、１８により選択し、入力確定ボタン１９をクリックすることによって、それぞれ確定することができるようになっている。
【００３４】
なお、この画面において、デザイン候補３の下方には、デザイン変更ボタン２０およびデザイン確定ボタン２１が配置されており、各ボタンのクリック操作によって、最終的に好みのデザインを選定し、確定するように構成される。
【００３５】
したがって、好みによっては、４面全部を希望の写真にすることも可能である。いずれの場合も、表示された選択肢を選択することによって、所望のカードを作成することができる。
【００３６】
以上のように構成されたこの発明の実施に関して、依頼者であり、商品の贈り主でもある人のおかれた状況によって、以下に、場合分けをしながら、この発明の各実施例について具体的に説明する。
【００３７】
まず、贈り主が、例えばデパート等の結婚内祝い引出物売り場の店頭に来店したときに、このようなアルバム式商品カタログの編集、作成サービスを知った場合について説明する。この来店した依頼者が、手元にこの依頼者側が撮影した写真データを持参している場合には、店頭のパソコン上に開かれている商品カタログ作成者のホームページＨＰに必要写真データを入力し、その選択した写真データを作成者に転送する。作成者は、これを受けて最終のメッセージカードおよび写真カードによってアルバム部を仕上げるとともに、カード式商品カタログとして依頼者側に提供することができる。
【００３８】
次に、贈り主が、例えばデパート等の結婚内祝い引出物売り場の店頭に来店したときに、このような作成サービスを知った場合であっても、その場に写真等のデータを持参していない場合について説明する。依頼者は、改めて自らの写真データを店頭に持参するか、帰宅後、自宅のパソコンＰＣから前記作成者のホームページＨＰを開いて、必要な入力をし、希望する写真データを転送し、選択して、依頼を完了することができる。
【００３９】
また、贈り主が、自宅のパソコン上でこのサービスを知り、そのパソコンからその作成者に依頼する場合には、贈り主の編集データを作成者に送信して依頼すると、依頼を受けた作成者は、その編集データに基づいてメッセージカード、および写真のカードを作成し、好ましくはギフト商品カードとともにアルバム式に仕上げた商品カタログとして、依頼者指定の贈り先に配送して届けることができるものである。もちろん、これを店舗に納入し、贈り主は来店してそれを受領して持ち帰り、自らそれを贈り先に届けることができるようにすることも可能である。すなわち、作成者は、このアルバム式商品カタログを依頼者側、すなわち、依頼者、または、依頼者指定の送り先に配送するようにすることができる。
【００４０】
さらに、贈り主が、このサービスを知って、店頭に来店して依頼する場合には、前述の事例と同様に、来店時に持参した贈り主の編集データを店頭のパソコン経由作成者に送信することによって、作成者側は、依頼内容に沿って最終のメッセージカードを仕上げるとともに、好ましくは商品のギフトカード含んでアルバム式に仕上げた商品カタログとして、依頼者指定の贈り先に配送して届けることができるものである。
【００４１】
このように、依頼者の希望や好みによる選択結果に沿ったアルバム式商品カタログは、商品の申込みによって、その所期の目的を達成した後は、使用済みの各商品カタログカード、さらには必要に応じて、メッセージカードや写真を必要最小限のものを残して取り外すことによって、通常のアルバムとして使用することができるのであり、贈り主の意向が充分反映されるとともに、資源の有効利用という側面からもきわめて良好な利用方法であるということができる。
【００４２】
なお、詳細な説明は省略するが、このように商品の選択、メッセージカードの選択、写真の選択等に付随して、その他にも、のしを選択する、包装紙を選択する、さらに商品の買い物を続ける等の選択肢が設けられ、必要なステップが用意されることによって、依頼者は自らの好みに応じて、アルバム式商品カタログ一式を充実して整えることができ、必要に応じて、その後の一切を作成者側に委託して一連の手続を完成することができるものである。
【図面の簡単な説明】
【００４３】
【図１】この発明のアルバム式商品カタログの編集システムの概略を示すブロック図である。
【図２】この発明のアルバム式商品カタログを作成するための選択項目を有する表示画面の一実施例を示す。
【図３】同じくこの発明のアルバム式商品カタログのデザインを選択するための選択画面の一実施例を示す。
【図４】同じくこの発明のアルバム式商品カタログの取込み写真およびメッセージを選択するための選択画面の一実施例を示す。
【図５】同じくこの発明のアルバム式商品カタログの一実施例を示す斜視図である。
【符号の説明】
【００４４】
Ｃ・・・アルバム式商品カタログ、    ａ、ｂ・・・メッセージカード、    Ｐ・・・台紙、      Ｑ・・・表紙、      Ｒ・・・裏表紙、      Ｌ・・・保持葉、      Ｔ、Ｔ・・・ポケット、      Ｈ・・・パソコン、      ＨＰ・・・ホームページ、      Ｎ・・・インターネット、      ＰＣ・・・依頼者端末、      ＰＲ・・・プリンタ、      Ｓ・・・スタート画面、      Ｓ１、Ｓ２、Ｓ３、Ｓ４・・・選択項目、      １・・・選択画面、      ２・・・拡大されたテンプレート、      ３・・・デザイン候補欄、      ４・・・デザイン候補テンプレートグループ、      ５・・・グループ選択キー、      ５−１・・・テーマ「キュート」部、      ５−２・・・「ポップ」部、      ５−３・・・「シック」部、      ５−４・・・「和」部、      ６・・・「候補に入れる」ボタン、      ７・・・「カードを作る」または「デザインシート」ボタン、      ９・・・「カードデザインを選ぶ」ボタン、      １１・・・写真の候補、      １２・・・「写真を取込む」ボタン、      １３、１４・・・位置、大きさをそれぞれ変更するボタン、      Ａ・・・写真添付領域、      １５・・・「メッセージを入力」項目ボタン、      １６・・・メッセージ入力支援用の表示欄、      １７、１８・・・選択ボタン、      １９・・・入力確定ボタン、      ２０・・・デザイン変更ボタン、      ２１・・・デザイン確定ボタン、
【図１】
2010152769.tif 000003
【図２】
2010152769.tif 000004
【図３】
2010152769.tif 000005
【図４】
2010152769.tif 000006
【図５】
2010152769.tif 000007